(57)【特許請求の範囲】
【請求項１】
読影医の見解が各々に記載された複数の読影レポートのいずれか１つを引用して指導医用の読影課題ガイドを作成する第１作成手段、
前記第１作成手段によって作成された読影課題ガイドを編集操作に従って編集する編集手段、
前記編集手段によって編集された読影課題ガイドに基づいて訓練生用の読影課題を作成する第２作成手段、および
前記第２作成手段によって作成された読影課題が提供される１または２以上の訓練生を指定操作に従って指定する指定手段を備える、読影訓練支援装置。
【請求項２】
前記第１作成手段によって引用される読影レポートを選択する選択操作を受け付ける受け付け手段をさらに備える、請求項１記載の読影訓練支援装置。
【請求項３】
前記第１作成手段によって引用される読影レポートを如何にして選択するかを示すレポート選択条件を設定操作に従って設定する設定手段をさらに備え、
前記第１作成手段は前記設定手段によって設定されたレポート選択条件に合致する読影レポートを引用する、請求項１記載の読影訓練支援装置。
【請求項４】
前記設定手段は、複数の入力窓を有する個別設定画面を表示する個別設定画面表示手段、および文字列設定操作に従う文字列を前記複数の入力窓の各々に表示する文字列表示手段を含み、
前記レポート選択条件は前記複数の入力窓にそれぞれ表示された複数の文字列に基づいて定義される、請求項３記載の読影訓練支援装置。
【請求項５】
前記レポート選択条件の基礎となる複数の文字列が数値範囲を含むとき前記レポート選択条件に合致する項目名を前記複数の読影レポートから検出する項目名検出手段、および
前記項目名検出手段の検出結果に基づいて前記レポート選択条件を修正する修正手段をさらに備える、請求項４記載の読影訓練支援装置。
【請求項６】
前記個別設定画面表示手段は、定義済みレポート選択条件が選択されたとき前記定義済みレポート選択条件の基礎となる複数の文字列を前記複数の入力窓に初期表示する初期表示手段を含む、請求項４または５記載の読影訓練支援装置。
【請求項７】
前記読影課題ガイドは見解欄を有し、
前記第１作成手段は前記読影レポートに記載された見解を前記見解欄に解答例として転記する、請求項１ないし６のいずれかに記載の読影訓練支援装置。
【請求項８】
前記複数の読影レポートの各々には依頼医からの依頼内容がさらに記載され、
前記読影課題ガイドは読影指示欄をさらに有し、
前記第１作成手段は前記読影レポートに記載された依頼内容を前記読影指示欄に読影指示として転記する、請求項７記載の読影訓練支援装置。
【請求項９】
前記複数の読影レポートの各々には患者を撮影して得られた複数の医用画像の少なくとも１つを表す参照画像が添付され、
前記読影課題ガイドは参照画像欄をさらに有し、
前記第１作成手段は前記読影レポートに添付された参照画像を前記参照画像欄に転載する、請求項７または８記載の読影訓練支援装置。
【請求項１０】
前記編集手段は前記読影課題ガイドに添付された参照画像を前記複数の医用画像の少なくとも１つを表す他の参照画像に変更する変更手段を含む、請求項９記載の読影訓練支援装置。
【請求項１１】
前記読影課題ガイドは評価ポイント欄を有し、
前記編集手段は所望の評価ポイントを前記評価ポイント欄に記入する記入手段を含む、請求項１ないし１０のいずれかに記載の読影訓練支援装置。
【請求項１２】
前記指定手段によって指定された１または２以上の訓練生の各々が作成した読影レポートに対する評価を入力操作に従って入力する入力手段、
前記読影課題ガイドの記載の少なくとも一部と前記入力手段によって入力された評価とが併記された課題評価結果を作成する第３作成手段、および
前記第３作成手段によって作成された課題評価結果を評価対象の読影レポートを作成した訓練生に関連付けて保存する保存手段をさらに備える、請求項１ないし１１のいずれかに記載の読影訓練支援装置。
【請求項１３】
前記入力手段によって入力される評価は評価ポイントに対する講評および点数を含む、請求項１２記載の読影訓練支援装置。
【請求項１４】
前記入力手段が対象とする読影レポートは読影に費やされた時間を示す時間情報を伴い、
前記入力手段の処理に関連して前記時間情報を出力する出力手段をさらに備える、請求項１２または１３記載の読影訓練支援装置。
【請求項１５】
読影訓練支援装置のプロセッサによって実行される読影訓練支援方法であって、
読影医の見解が各々に記載された複数の読影レポートのいずれか１つを引用して指導医用の読影課題ガイドを作成する第１作成ステップ、
前記第１作成ステップによって作成された読影課題ガイドを編集操作に従って編集する編集ステップ、
前記編集ステップによって編集された読影課題ガイドに基づいて訓練生用の読影課題を作成する第２作成ステップ、および
前記第２作成ステップによって作成された読影課題が提供される１または２以上の訓練生を指定操作に従って指定する指定ステップを備える、読影訓練支援方法。
【請求項１６】
読影訓練支援装置のプロセッサに、
読影医の見解が各々に記載された複数の読影レポートのいずれか１つを引用して指導医用の読影課題ガイドを作成する第１作成ステップ、
前記第１作成ステップによって作成された読影課題ガイドを編集操作に従って編集する編集ステップ、
前記編集ステップによって編集された読影課題ガイドに基づいて訓練生用の読影課題を作成する第２作成ステップ、および
前記第２作成ステップによって作成された読影課題が提供される１または２以上の訓練生を指定操作に従って指定する指定ステップを実行させるための、読影訓練支援プログラム。
【発明の詳細な説明】
【技術分野】
【０００１】
この発明は、読影訓練支援装置、読影訓練支援方法および読影訓練支援プログラムに関し、特に、読影医が医学生や研修医に対して実施する読影訓練を支援する、読影訓練支援装置、読影訓練支援方法および読影訓練支援プログラムに関する。
【背景技術】
【０００２】
外来や病棟で患者個人を担当する依頼医（主治医）から放射線部門に対して検査オーダーが来ると、放射線部門に属する読影医は、検査オーダーに従って放射線技師に撮影指示を出し、放射線技師によるモダリティの操作によって得られた患者の医用画像（断層画像）を読影し、読影レポートを検査結果として依頼医に返却する。患者の診療・治療方針は、返却された検査結果を元に依頼医によって決定される。
【０００３】
読影医は、このような読影業務の傍ら、医学生や研修医に対して教育つまり読影訓練を行う必要がある。また、医学部の放射線科では、読影医の育成のために、ティーチングファイル等の症例データベースを使用することが一般的である。
【先行技術文献】
【特許文献】
【０００４】
【特許文献１】特許第４９４５７０５号公報
【特許文献２】特開２００９−８２１８２号公報
【発明の概要】
【発明が解決しようとする課題】
【０００５】
しかし、症例データベースは、一般教育で言うところの参考書的な物であり、読影訓練目的では十分と言える物ではない。また、症例データベースは実データであるため、患者名等の個人情報が見えてしまい、教育用としては不適切である。
【０００６】
また、読影時間を元に読影の精度を推定して誤診検知支援や読影見本の提示を行う先行技術は、特許文献１または特許文献２に開示されている。しかし、誤診検知支援や読影見本の提示では、読影訓練として十分とは言えない。
【０００７】
それゆえに、この発明の主たる目的は、より高い成果を目指した読影訓練を簡便に実現することができる、読影訓練支援装置、読影訓練支援方法および読影訓練支援プログラムを提供することである。
【課題を解決するための手段】
【０００８】
この発明に係る読影訓練支援装置(40：実施例で相当する参照符号。以下同じ)は、読影医の見解が各々に記載された複数の読影レポートのいずれか１つを引用して指導医用の読影課題ガイドを作成する第１作成手段(S23, S259)、第１作成手段によって作成された読影課題ガイドを編集操作に従って編集する編集手段(S59)、編集手段によって編集された読影課題ガイドに基づいて訓練生用の読影課題を作成する第２作成手段(S85)、および第２作成手段によって作成された読影課題が提供される１または２以上の訓練生を指定操作に従って指定する指定手段(S61~S71)を備える。
【０００９】
好ましくは、第１作成手段によって引用される読影レポートを選択する選択操作を受け付ける受け付け手段(S11, S19)がさらに備えられる。
【００１０】
好ましくは、第１作成手段によって引用される読影レポートを如何にして選択するかを示すレポート選択条件を設定操作に従って設定する設定手段(S165, S167, S171, S173)がさらに備えられ、第１作成手段は設定手段によって設定されたレポート選択条件に合致する読影レポートを引用する。
【００１１】
さらに好ましくは、設定手段は、複数の入力窓を有する個別設定画面を表示する個別設定画面表示手段(S201, S221, S223)、および文字列設定操作に従う文字列を複数の入力窓の各々に表示する文字列表示手段(S205, S227)を含み、レポート選択条件は複数の入力窓にそれぞれ表示された複数の文字列に基づいて定義される。
【００１２】
或る局面では、レポート選択条件の基礎となる複数の文字列が数値範囲を含むときレポート選択条件に合致する項目名を複数の読影レポートから検出する項目名検出手段(S251)、および項目名検出手段の検出結果に基づいてレポート選択条件を修正する修正手段(S253)がさらに備えられる。
【００１３】
他の局面では、個別設定画面表示手段は、定義済みレポート選択条件が選択されたとき定義済みレポート選択条件の基礎となる複数の文字列を複数の入力窓に初期表示する初期表示手段(S223)を含む。
【００１４】
好ましくは、読影課題ガイドは見解欄(RP1, DP1)を有し、第１作成手段は読影レポートに記載された見解を見解欄に解答例として転記する。
【００１５】
或る局面では、複数の読影レポートの各々には依頼医からの依頼内容がさらに記載され、読影課題ガイドは読影指示欄(IP1)をさらに有し、第１作成手段は読影レポートに記載された依頼内容を読影指示欄に読影指示として転記する。
【００１６】
他の局面では、複数の読影レポートの各々には患者を撮影して得られた複数の医用画像の少なくとも１つを表す参照画像が添付され、読影課題ガイドは参照画像欄(MP1)をさらに有し、第１作成手段は読影レポートに添付された参照画像を参照画像欄に転載する。
【００１７】
さらに好ましくは、編集手段は読影課題ガイドに添付された参照画像を複数の医用画像の少なくとも１つを表す他の参照画像に変更する変更手段(S5921, S5925~S5939)を含む。
【００１８】
好ましくは、読影課題ガイドは評価ポイント欄(PP1)を有し、編集手段は所望の評価ポイントを評価ポイント欄に記入する記入手段(S5917, S5919)を含む。
【００１９】
好ましくは、指定手段によって指定された１または２以上の訓練生の各々が作成した読影レポートに対する評価を入力操作に従って入力する入力手段(S91~S93)、読影課題ガイドの記載の少なくとも一部と入力手段によって入力された評価とが併記された課題評価結果を作成する作成手段(S101)、および作成手段によって作成された課題評価結果を評価対象の読影レポートを作成した訓練生に関連付けて保存する保存手段(S103)がさらに備えられる。
【００２０】
或る局面では、入力手段によって入力される評価は評価ポイントに対する講評および点数を含む。
【００２１】
他の局面では、入力手段が対象とする読影レポートは読影に費やされた時間を示す時間情報を伴い、入力手段の処理に関連して時間情報を出力する出力手段(S89)がさらに備えられる。
【００２２】
この発明に係る読影訓練支援方法は、読影訓練支援装置(40)のプロセッサ(402)によって実行される読影訓練支援方法であって、読影医の見解が各々に記載された複数の読影レポートのいずれか１つを引用して指導医用の読影課題ガイドを作成する第１作成ステップ(S23, S259)、第１作成ステップによって作成された読影課題ガイドを編集操作に従って編集する編集ステップ(S59)、編集ステップによって編集された読影課題ガイドに基づいて訓練生用の読影課題を作成する第２作成ステップ(S85)、および第２作成ステップによって作成された読影課題が提供される１または２以上の訓練生を指定操作に従って指定する指定ステップ(S61~S71)を備える。
【００２３】
この発明に係る読影訓練支援プログラムは、読影訓練支援装置(40)のプロセッサ(402)に、読影医の見解が各々に記載された複数の読影レポートのいずれか１つを引用して指導医用の読影課題ガイドを作成する第１作成ステップ(S23, S259)、第１作成ステップによって作成された読影課題ガイドを編集操作に従って編集する編集ステップ(S59)、編集ステップによって編集された読影課題ガイドに基づいて訓練生用の読影課題を作成する第２作成ステップ(S85)、および第２作成ステップによって作成された読影課題が提供される１または２以上の訓練生を指定操作に従って指定する指定ステップ(S61~S71)を実行させるための、読影訓練支援プログラムである。
【発明の効果】
【００２４】
読影課題ガイドは、読影医の見解が記載された読影レポートを引用して作成され、かつ編集操作に従って編集される。このため、読影課題ガイドの準備に要する指導医の手間を軽減することができる。また、読影課題ガイドに基づいて作成された読影課題の提供先は、指定操作に従って個別に指定される。このため、読影課題ガイドが編集可能であることと相俟って、適応的な読影訓練を実施することができる。こうして、高い成果を目指した読影訓練が簡便に実現される。
【００２５】
この発明の上述の目的，その他の目的，特徴および利点は、図面を参照して行う以下の実施例の詳細な説明から一層明らかとなろう。
【図面の簡単な説明】
【００２６】
【図１】この実施例に適用される読影レポートシステムの構成の一例を示すブロック図である。
【図２】図１に示す読影訓練支援装置または訓練用読影端末の構成の一例を示すブロック図である。
【図３】複数の訓練生に共通して作成される読影課題ガイドと訓練生毎に作成される訓練用読影レポートおよび読影課題採点シートとの関係を示す図解図である。
【図４】読影訓練支援装置に設けられたＣＰＵの動作の一部を示すフロー図である。
【図５】読影訓練支援装置に設けられたＣＰＵの動作の他の一部を示すフロー図である。
【図６】読影訓練支援装置に設けられたＣＰＵの動作のその他の一部を示すフロー図である。
【図７】読影訓練支援装置に設けられたＣＰＵの動作のさらにその他の一部を示すフロー図である。
【図８】読影訓練支援装置に設けられたＣＰＵの動作の他の一部を示すフロー図である。
【図９】読影訓練支援装置に設けられたＣＰＵの動作のその他の一部を示すフロー図である。
【図１０】読影訓練支援装置に設けられたＣＰＵの動作のさらにその他の一部を示すフロー図である。
【図１１】読影訓練支援装置に設けられたＣＰＵの動作の他の一部を示すフロー図である。
【図１２】読影訓練支援装置に設けられたＣＰＵの動作のその他の一部を示すフロー図である。
【図１３】読影訓練支援装置に設けられたＣＰＵの動作のさらにその他の一部を示すフロー図である。
【図１４】訓練用読影端末に設けられたＣＰＵの動作の一部を示すフロー図である。
【図１５】訓練用読影端末に設けられたＣＰＵの動作の他の一部を示すフロー図である。
【図１６】訓練用読影端末に設けられたＣＰＵの動作のその他の一部を示すフロー図である。
【図１７】訓練用読影端末に設けられたＣＰＵの動作のさらにその他の一部を示すフロー図である。
【図１８】読影訓練支援装置に設けられたメインディスプレイの表示の一例を示す図解図である。
【図１９】図１に示す診療用サーバＰＣから取得された読影レポートの一例を示す図解図である。
【図２０】読影訓練支援装置によって作成された読影課題ガイドの一部を示す図解図である。
【図２１】読影訓練支援装置によって作成された読影課題ガイドの他の一部を示す図解図である。
【図２２】読影訓練支援装置に設けられたメインディスプレイの表示の他の一例を示す図解図である。
【図２３】読影訓練支援装置に設けられたメインディスプレイの表示のその他の一例を示す図解図である。
【図２４】読影訓練支援装置に設けられたメインディスプレイの表示のさらにその他の一例を示す図解図である。
【図２５】読影訓練支援装置に設けられたメインディスプレイの表示の他の一例を示す図解図である。
【図２６】読影訓練支援装置によって作成された訓練用読影レポートの一例を示す図解図である。
【図２７】訓練用読影端末に設けられたメインディスプレイの表示の一例を示す図解図である。
【図２８】訓練用読影端末に設けられたメインディスプレイの表示の他の一例を示す図解図である。
【図２９】訓練用読影端末に設けられたメインディスプレイの表示のその他の一例を示す図解図である。
【図３０】訓練用読影端末によって作成された訓練用読影レポートの一例を示す図解図である。
【図３１】読影訓練支援装置に設けられたメインディスプレイの表示のその他の一例を示す図解図である。
【図３２】読影訓練支援装置に設けられたメインディスプレイの表示のさらにその他の一例を示す図解図である。
【図３３】読影訓練支援装置に設けられたメインディスプレイの表示の他の一例を示す図解図である。
【図３４】読影訓練支援装置に設けられたメインディスプレイの表示のその他の一例を示す図解図である。
【図３５】読影訓練支援装置によって作成された読影課題採点シートの一部を示す図解図である。
【図３６】読影訓練支援装置によって作成された読影課題採点シートの他の一部を示す図解図である。
【図３７】訓練用読影端末に設けられたメインディスプレイの表示のさらにその他の一例を示す図解図である。
【図３８】訓練用読影端末に設けられたメインディスプレイの表示の他の一例を示す図解図である。
【図３９】訓練用読影端末に設けられたメインディスプレイの表示のその他の一例を示す図解図である。
【図４０】訓練用読影端末に設けられたメインディスプレイの表示のさらにその他の一例を示す図解図である。
【図４１】他の実施例の訓練用読影端末に設けられたＣＰＵの動作の一部を示すフロー図である。
【図４２】他の実施例の訓練用読影端末に設けられたＣＰＵの動作の他の一部を示すフロー図である。
【図４３】他の実施例の訓練用読影端末に設けられたＣＰＵの動作のその他の一部を示すフロー図である。
【図４４】他の実施例の訓練用読影端末に設けられたＣＰＵの動作のさらにその他の一部を示すフロー図である。
【図４５】他の実施例の訓練用読影端末に設けられたＣＰＵの動作の他の一部を示すフロー図である。
【図４６】他の実施例の訓練用読影端末に設けられたＣＰＵの動作のその他の一部を示すフロー図である。
【図４７】他の実施例の訓練用読影端末に設けられたＣＰＵの動作のさらにその他の一部を示すフロー図である。
【図４８】他の実施例の訓練用読影端末に設けられたＣＰＵの動作の他の一部を示すフロー図である。
【図４９】読影レポートデータベースに設けられた読影レポートテーブルの一例を示す図解図である。
【図５０】読影レポートデータベースに設けられた読影課題ガイド自動作成条件テーブルの一例を示す図解図である。
【図５１】訓練用読影端末に設けられたメインディスプレイの表示の一例を示す図解図である。
【図５２】訓練用読影端末に設けられたメインディスプレイの表示の他の一例を示す図解図である。
【図５３】訓練用読影端末に設けられたメインディスプレイの表示のその他の一例を示す図解図である。
【図５４】訓練用読影端末に設けられたメインディスプレイの表示のさらにその他の一例を示す図解図である。
【図５５】訓練用読影端末に設けられたメインディスプレイの表示の他の一例を示す図解図である。
【図５６】（Ａ）は検査情報に相当する文字列の一例を示す図解図であり、（Ｂ）は患者情報に相当する文字列の一例を示す図解図であり、（Ｃ）は所見／診断情報に相当する文字列の一例を示す図解図である。
【発明を実施するための形態】
【００２７】
［実施例１］
図１を参照して、この実施例の診断支援システムは、院内ＬＡＮ８０に各々が接続された診療用読影レポートシステム１００および訓練用読影レポートシステム２００を含む。診療用読影レポートシステム１００は、診療用読影端末１０，診療用サーバＰＣ２０および診療用ＰＡＣＳ３０によって構成される。また、訓練用読影レポートシステム２００は、読影訓練支援装置４０，訓練用読影端末５０，訓練用サーバＰＣ６０および訓練用ＰＡＣＳ７０によって構成される。なお、診療用サーバＰＣ２０には読影レポートデータベース２０１が設けられ、訓練用サーバＰＣ６０には読影課題データベース６０１が設けられる。
【００２８】
診療用読影端末１０は、患者の医用画像を読影する読影医によって操作される端末である。また、読影レポートデータベース２０１には、依頼医の依頼内容に対する読影医の見解（具体的には「所見」および「診断」）が記載された読影レポートが保存される。さらに、診療用ＰＡＣＳ３０には、多数の医用画像が患者毎つまり読影レポート毎に分類された状態で保存される。
【００２９】
読影レポートは、図１９に示す体裁をなす。つまり、読影レポートには、患者情報（患者番号，患者氏名，性別，検査時年齢）および検査情報（検査種別，部位，方法，入外区分，依頼科，依頼医）に加えて、依頼医によって入力された依頼内容と読影医によって入力された所見および診断とが記載され、さらに参照画像が添付される。
【００３０】
ここで、依頼内容は依頼内容欄ＩＰ０に記載され、所見は所見欄ＲＰ０に記載され、診断は診断欄ＤＰ０に記載され、参照画像は参照画像欄ＭＰ０に添付される。また、参照画像は、患者情報が示す患者の断層撮影によって得られかつ診療用ＰＡＣＳ３０に保存された複数の医用画像を代表する画像であり、当該複数の医用画像の少なくとも１つを縮小した画像に相当する。
【００３１】
読影訓練支援装置４０は、医学生や研修医（以下、「訓練生」と言う。）に対して読影訓練を実施する指導医によって操作される装置であり、訓練用読影端末５０は、訓練生によって操作される端末である。また、読影課題データベース６０には、指導医によって作成される読影課題ガイドと、指導医と訓練生との間でやり取りされる訓練用読影レポートと、指導医から訓練生に提供される読影課題採点シート（課題評価結果）とが、図３に示す要領で保存される。
【００３２】
図３によれば、読影課題ガイドは複数の訓練生に共通し、訓練用読影レポートおよび読影課題採点シートは訓練生毎に異なる。また、訓練用読影レポートのステータスは、研修医の見解が未入力とき“未入力”に設定され、研修医の見解が確定したとき“確定”に設定される。したがって、ステータスが“未入力”を示す訓練用読影レポートは、“読影課題”と呼んでもよい。
【００３３】
読影訓練支援装置４０および訓練用読影端末５０は、図２に示すように構成される。読影訓練支援装置４０において、バス４０８には、通信Ｉ／Ｆ４０１，ＣＰＵ４０２，キーボード／マウス４０３，メインディスプレイ４０４，ビューワ４０５，ＤＲＡＭ４０６およびＨＤＤ４０７が接続される。訓練用読影端末５０において、バス５０８には、通信Ｉ／Ｆ５０１，ＣＰＵ５０２，キーボード／マウス５０３，メインディスプレイ５０４，ビューワ５０５，ＤＲＡＭ５０６およびＨＤＤ５０７が接続される。
【００３４】
読影訓練支援装置４０に設けられたＣＰＵ４０２は、指導医が訓練生に対して実施する読影訓練を支援するべく、図４〜図５に示す読影課題候補マーク処理と図６〜図１３に示す読影課題作成・採点処理とを実行する。また、訓練用読影端末５０は、訓練生に対して読影訓練を実施するべく、図１４〜図１７に示す読影レポート作成・解答表示処理を実行する。
【００３５】
なお、図４〜図１３に示す処理に対応する制御プログラムはＨＤＤ４０７に保存され、図１４〜図１７に示す処理に対応する制御プログラムはＨＤＤ５０７に保存される。
【００３６】
まず図４を参照して、ステップＳ１では図１８に示す読影レポートウィンドウをメインディスプレイ４０４に表示するべく、対応するビットマップデータをＤＲＡＭ４０６に描画し、当該ビットマップデータの出力をメインディスプレイ４０４に命令する。なお、この時点では、検索条件は入力されておらず、レポートリスト欄ＬＰ１も空欄とされる。
【００３７】
ステップＳ３ではキーボード／マウス４０３によって読影レポート検索操作（所望の検索条件を入力しかつ「検索」ボタンをクリックする操作）が行われたか否かを判別し、ステップＳ５ではキーボード／マウス４０３によって他の操作が行われたか否かを判別する。ステップＳ３の判別結果およびステップＳ５の判別結果のいずれもがＮＯであればステップＳ３に戻り、ステップＳ５の判別結果がＹＥＳであれば他の処理に進み、ステップＳ３の判別結果がＹＥＳであればステップＳ７に進む。
【００３８】
ステップＳ７では、通信Ｉ／Ｆ４０１および院内ＬＡＮ８０を通して診療用サーバＰＣ２０にアクセスし、検索条件にマッチする１または２以上の読影レポートを読影レポートデータベース２０１から検出する。検出された１または２以上の読影レポートは、院内ＬＡＮ８０および通信Ｉ／Ｆ４０１を通してＤＲＡＭ４０６に取り込まれる。
【００３９】
ステップＳ９では、こうして取得した読影レポートの見出しを表すビットマップデータをＤＲＡＭ４０６に描画し、当該ビットマップデータの出力をメインディスプレイ４０４に命令する。読影レポートの見出しは、読影レポートウィンドウ上のレポートリスト欄ＬＰ１に表示される（図１８参照）。
【００４０】
ステップＳ１１ではキーボード／マウス４０３の操作によって所望の見出しが右クリックされたか否かを判別し、ステップＳ１３ではキーボード／マウス４０３によって他の操作が行われたか否かを判別する。ステップＳ１１の判別結果およびステップＳ１３の判別結果のいずれもがＮＯであればステップＳ１１に戻り、ステップＳ１３の判別結果がＹＥＳであれば他の処理に進み、ステップＳ１１の判別結果がＹＥＳであればステップＳ１５に進む。
【００４１】
ステップＳ１５では、右クリックされた見出しにハイライト処理を施す。ステップＳ１７では、「レポート開く」，「画像表示」，「読影課題としてマーク」などの項目が列挙されたメニューを表すビットマップデータをＤＲＡＭ４０６に描画し、当該ビットマップデータの出力をメインディスプレイ４０４に命令する。メニューは、図１８に示す要領でポップアップ表示される。
【００４２】
ステップＳ１９では、キーボード／マウス４０３の操作によって「読影課題としてマーク」の項目がクリックされたか否かを判別し、ステップＳ２１では、キーボード／マウス４０３によって他の操作が行われたか否かを判別する。ステップＳ１９の判別結果およびステップＳ２１の判別結果のいずれもがＮＯであればステップＳ１９に戻り、ステップＳ２１の判別結果がＹＥＳであれば他の処理に進み、ステップＳ１９の判別結果がＹＥＳであればステップＳ２３に進む。
【００４３】
ステップＳ２３では、ハイライト処理を施された見出しに対応する読影レポートをＤＲＡＭ４０６上で特定し、特定した読影レポートの情報が転記ないし引用された読影課題ガイドをＤＲＡＭ４０６上で作成する。図１９に示す読影レポートがＤＲＡＭ４０６上で特定された場合、読影課題ガイドは図２０および図２１に示す要領で作成される。
【００４４】
具体的には、読影レポート上の患者情報は、患者氏名を除いて読影課題ガイドに転記され、読影レポート上の検査情報は、依頼科および依頼医を除いて読影課題ガイドに転記される。また、読影レポート上の所見および診断は、所見の解答例および診断の解答例として読影課題ガイドに転記され、読影レポート上の参照画像は、参照画像の解答例として読影課題ガイドに転載される。さらに、読影レポート上の依頼内容は、読影指示として読影課題ガイドに転記される。
【００４５】
なお、所見の転記先は所見欄ＲＰ１であり、診断の転記先は診断欄ＤＰ１であり、参照画像の転載先は参照画像欄ＭＰ１である。また、依頼内容の転記先は読影指示欄ＩＰ１である。また、この時点では、読影難易度，読影開始日および読影期限（レポート提出期限）は設定されておらず、訓練生欄ＴＰ１および採点ポイント欄（評価ポイント欄）ＰＰ１は空欄とされる。
【００４６】
図５に戻って、ステップＳ２５では、こうして作成された読影課題ガイドを通信Ｉ／Ｆ４０１および院内ＬＡＮ８０を通して訓練用サーバＰＣ６０に転送する。転送された読影課題ガイドは、読影課題データベース６０１に保存される。ステップＳ２７では、ステップＳ２３の処理の対象となった読影レポートに関連付けられた複数の医用画像を診療用ＰＡＣＳ３０から検出し、検出した複数の医用画像を訓練用ＰＡＣＳ７０に複製する。
【００４７】
ステップＳ２９では、キーボード／マウス４０３によってマーク処理終了操作が行われたか否かを判別し、ステップＳ３１では、キーボード／マウス４０３によって他の操作が行われたか否かを判別する。ステップＳ２９の判別結果およびステップＳ３１の判別結果のいずれもがＮＯであればステップＳ２９に戻り、ステップＳ３１の判別結果がＹＥＳであれば他の処理に進み、ステップＳ２９の判別結果がＹＥＳであれば処理を終了する。
【００４８】
図６を参照して、ステップＳ４１では、図２２に示す読影課題メインウィンドウをメインディスプレイ４０４に表示するべく、対応するビットマップデータをＤＲＡＭ４０６に描画し、当該ビットマップデータの出力をメインディスプレイ４０４に命令する。
【００４９】
この時点では、部位欄ＳＰ０１に表示された「頭部」，「胸部」および「腹部」のいずれか１つがハイライト処理を施され、ハイライトされた部位に属する１または２以上の課題カテゴリが課題カテゴリ欄ＣＰ０１に表示される。ただし、読影課題欄ＡＰ０１および訓練生欄ＴＰ０１は空欄とされる。
【００５０】
ステップＳ４３ではキーボード／マウス４０３によって読影課題ガイド検索操作（部位欄ＳＰ１の所望の部位をクリックし、課題カテゴリ欄ＣＰ１の所望のカテゴリをクリックする操作）が行われたか否かを判別し、ステップＳ４５ではキーボード／マウス４０３によって他の操作が行われたか否かを判別する。ステップＳ４３の判別結果およびステップＳ４５の判別結果のいずれもがＮＯであればステップＳ４３に戻り、ステップＳ４５の判別結果がＹＥＳであれば他の処理に進み、ステップＳ４３の判別結果がＹＥＳであればステップＳ４７に進む。
【００５１】
ステップＳ４７では、通信Ｉ／Ｆ４０１および院内ＬＡＮ８０を通して訓練用サーバＰＣ６０にアクセスし、検索条件にマッチする１または２以上の読影課題ガイドを読影課題データベース６０１から検出する。検出された１または２以上の読影課題ガイドは、院内ＬＡＮ８０および通信Ｉ／Ｆ４０１を通してＤＲＡＭ４０６に取り込まれる。
【００５２】
ステップＳ４９では、取得した読影課題ガイドの見出しを表すビットマップデータをＤＲＡＭ４０６に描画し、当該ビットマップデータの出力をメインディスプレイ４０４に命令する。読影課題ガイドの見出しは、読影課題メインウィンドウ上の読影課題欄ＡＰ０１に表示される（図２２参照）。
【００５３】
ステップＳ５１では、キーボード／マウス４０３によって見出しクリック操作（読影課題欄ＡＰ０１上の所望の見出しをクリックする操作）が行われたか否かを判別し、ステップＳ５３では、キーボード／マウス４０３によって訓練生選択操作（所望の読影課題ガイド上で設定された１または２以上の訓練生のいずれか１つを選択する操作）が行われたか否かを判別し、ステップＳ５５ではキーボード／マウス４０３によって他の操作が行われたか否かを判別する。
【００５４】
ステップＳ５１の判別結果，ステップＳ５３の判別結果およびステップＳ５５の判別結果のいずれもがＮＯであればステップＳ５１に戻り、ステップＳ５５の判別結果がＹＥＳであれば他の処理に進み、ステップＳ５３の判別結果がＹＥＳであれば図１２に示すステップＳ８７に進み、ステップＳ５１の判別結果がＹＥＳであればステップＳ５７に進む。
【００５５】
ステップＳ５７では、見出しクリック操作によって選択された見出しに対応する読影課題ガイドを特定し、特定した読影課題ガイドの情報を含むビットマップデータをＤＲＡＭ４０６に描画し、当該ビットマップデータの出力をメインディスプレイ４０４に命令する。この結果、読影課題ガイドウィンドウが読影課題メインウィンドウに代替して表示される。
【００５６】
図２０および図２１に示す読影課題ガイドが特定された場合、読影課題ガイドウィンドウは図２３および図２４に示す要領で表示される。図２３および図２４によれば、所見の解答例は所見欄ＲＰ１´に表示され、診断の解答例は診断欄ＤＰ１´に表示される。また、参照画像の解答例は参照画像欄ＭＰ１´に表示され、読影指示は読影指示欄ＩＰ１´に表示される。ただし、この時点では、読影難易度，読影開始日および読影期限は設定されておらず、訓練生欄ＴＰ１´および採点ポイント欄ＰＰ１´は空欄とされる。
【００５７】
ステップＳ５９では、後述するサブルーチンに従って課題編集処理を実行する。この結果、所見の解答例，診断の解答例および読影指示が適宜修正され、参照画像の解答例が適宜更新され、読影難易度，読影開始日，読影期限および採点ポイント（評価ポイント）が設定される。
【００５８】
ステップＳ６１ではキーボード／マウス４０３によって訓練生追加操作（読影課題ガイドウィンドウ上の「追加」ボタンをクリックする操作）が行われたか否かを判別し、判別結果がＮＯであればそのままステップＳ６５に進む一方、判別結果がＹＥＳであればステップＳ６３で訓練生追加処理を実行してからステップＳ６５に進む。訓練生追加処理は、後述する別のサブルーチンに従って実行され、これによって新規の訓練生が訓練生欄ＴＰ１´に追加表示される。
【００５９】
ステップＳ６５ではキーボード／マウス４０３によって訓練生削除操作（所望の訓練生をクリックし、訓練生欄ＴＰ１´の「削除」ボタンをクリックする操作）が行われたか否かを判別し、判別結果がＮＯであればステップＳ７３に進む一方、判別結果がＹＥＳであればステップＳ６７に進む。ステップＳ６７では、通信Ｉ／Ｆ４０１および院内ＬＡＮ８０を通して訓練用サーバＰＣ６０にアクセスし、クリックされた訓練生の訓練用読影レポートを読影課題データベース６０１から検出する。
【００６０】
ステップＳ６９では、クリックされた訓練生の訓練用読影レポートが検出されないか或いは検出された訓練用読影レポートのステータスが“未入力”であるという論理和条件が満足されるか否かを判別する。
【００６１】
判別結果がＹＥＳであれば、つまりクリックされた訓練生の訓練用読影レポートが検出なかったか、或いは検出された訓練用読影レポートのステータスが“未入力”であれば、ステップＳ７１に進み、クリックされた訓練生を訓練生欄ＴＰ１´から削除する。削除が完了すると、ステップＳ７３に進む。
【００６２】
これに対して判別結果がＮＯであれば、つまりクリックされた訓練生の訓練用読影レポートが検出され、かつ検出された訓練用読影レポートが“確定”を示していれば、ステップＳ７１の処理を実行することなくステップＳ７３に進む。
【００６３】
ステップＳ７３ではキーボード／マウス４０３によって保存操作が行われたか否かを判別し、ステップＳ７５ではキーボード／マウス４０３によって終了操作が行われたか否かを判別し、ステップＳ７７ではキーボード／マウス４０３によって他の操作が行われたか否かを判別する。
【００６４】
ステップＳ７３の判別結果，ステップＳ７５の判別結果およびステップＳ７７の判別結果のいずれもがＮＯであれば、ステップＳ７３に戻る。また、ステップＳ７７の判別結果がＹＥＳであれば他の処理に進み、ステップＳ７５の判別結果がＹＥＳであれば処理を終了し、ステップＳ７３の判別結果がＹＥＳであればステップＳ７９に進む。
【００６５】
ステップＳ７９では、読影課題ガイドウィンドウ上の記載が反映された読影課題ガイドを作成し、作成された読影課題ガイドを通信Ｉ／Ｆ４０１および院内ＬＡＮ８０を通して訓練用サーバＰＣ６０に転送する。転送された読影課題ガイドは、読影課題データベース６０１に上書き保存される。
【００６６】
ステップＳ８１では、読影課題ガイドウィンドウ上の全ての項目の入力が完了したか否か（つまり、読影難易度，読影開始日および読影期限が設定され、かつ採点ポイントが入力されたか否か）を判別する。また、ステップＳ８３では、少なくとも１人の訓練生が訓練生欄ＴＰ１´に記載されているか否かを判別する。ステップＳ８１の判別結果およびステップＳ８３の判別結果の少なくとも一方がＮＯであれば、そのまま処理を終了する。これに対して、ステップＳ８１の判別結果およびステップＳ８３の判別結果の両方がＹＥＳであれば、ステップＳ８５で以下の処理を実行してから処理を終了する。
【００６７】
つまり、ステップＳ８５では、訓練生欄ＴＰ１´に記載された訓練生毎に訓練用読影レポートを作成する。このとき、読影課題ガイドウィンドウ上の患者情報，検査情報および読影指示が訓練用読影レポートに転記される。また、この時点の訓練用読影レポートのステータスは“未入力”に設定される。
【００６８】
こうして作成された訓練用読影レポートは、図２６に示す体裁をなす。図２６によれば、読影指示は読影指示欄ＩＰ２に記載され、参照画像欄ＭＰ２，所見欄ＲＰ２および診断欄ＤＰ２は空欄とされる。
【００６９】
上述のように、ステータスが“未入力”を示す訓練用読影レポートは、“読影課題”と定義することができる。以下では、説明の便宜上、読影課題に相当する訓練用読影レポートに“読影課題”の文言を適宜併記する。
【００７０】
ステップＳ８５ではまた、こうして作成された訓練用読影レポート（読影課題）を通信Ｉ／Ｆ４０１および院内ＬＡＮ８０を通して訓練用サーバＰＣ６０に転送する。転送された訓練用読影レポート（読影課題）は、訓練生欄ＴＰ１に記載された訓練生毎に読影課題データベース６０１に保存される。
【００７１】
図７に示すステップＳ５９のサブルーチンを図９〜図１０に示す。ステップＳ５９０１では、キーボード／マウス４０３によって所見／診断修正操作が行われたか否かを判別し、判別結果がＮＯであればそのままステップＳ５９０５に進む一方、判別結果がＹＥＳであればステップＳ５９０３で所見の解答例／診断の解答例を修正してからステップＳ５９０５に進む。修正された所見の解答例は所見欄ＲＰ１´に表示され、修正された診断の解答例は診断欄ＤＰ１´に表示される。
【００７２】
ステップＳ５９０５ではキーボード／マウス４０３によって読影指示修正操作が行われたか否かを判別し、判別結果がＮＯであればそのままステップＳ５９０９に進む一方、判別結果がＹＥＳであればステップＳ５９０７で読影指示を修正してからステップＳ５９０５に進む。修正された読影指示は、読影指示欄ＩＰ１´に表示される。
【００７３】
ステップＳ５９０９ではキーボード／マウス４０３によって難易度入力操作が行われたか否かを判別し、判別結果がＮＯであればそのままステップＳ５９１３に進む一方、判別結果がＹＥＳであればステップＳ５９１１で読影難易度を入力・表示してからステップＳ５９１３に進む。
【００７４】
ステップＳ５９１３ではキーボード／マウス４０３によって読影開始日／読影期限入力操作が行われたか否かを判別し、判別結果がＮＯであればそのままステップＳ５９１７に進む一方、判別結果がＹＥＳであればステップＳ５９１５で読影開始日／読影期限を入力・表示してからステップＳ５９１７に進む。
【００７５】
ステップＳ５９１７ではキーボード／マウス４０３によって採点ポイント入力操作が行われたか否かを判別し、判別結果がＮＯであればそのままステップＳ５９２１に進む一方、判別結果がＹＥＳであればステップＳ５９１９で採点ポイントを入力・表示してからステップＳ５９２１に進む。入力された採点ポイントは、採点ポイント欄ＰＰ１´に表示される。なお、図２４から分かるように、採点ポイントは、所望の文章で表現される採点ポイント１と、事前に準備された複数の項目の中から選択される採点ポイント２とによって構成される。
【００７６】
ステップＳ５９２１では、キーボード／マウス４０３によって参照画像更新操作（読影課題メインウィンドウ上の「画像表示」ボタンをクリックする操作）が行われたか否かを判別し、ステップＳ５９２３では、キーボード／マウス４０３によって終了操作が行われたか否かを判別する。
【００７７】
ステップＳ５９２１の判別結果およびステップＳ５９２３の判別結果のいずれもがＮＯであれば、ステップＳ５９０１に戻る。これに対して、ステップＳ５９２１の判別結果の判別結果がＹＥＳであればステップＳ５９２５に進み、ステップＳ５９２３の判別結果の判別結果がＹＥＳであれば上階層のルーチンに復帰する。
【００７８】
ステップＳ５９２５では、通信Ｉ／Ｆ４０１および院内ＬＡＮ８０を通して訓練用ＰＡＣＳ７０にアクセスし、読影課題ガイドウィンドウ上の参照画像に関連する複数の医用画像を検出する。検出された医用画像は、院内ＬＡＮ８０および通信Ｉ／Ｆ４０１を通してＤＲＡＭ４０６に取り込まれる。ステップＳ５９２７では、こうして取得した複数の医用画像の表示をビューワ４０５に命令する。この結果、取得された医用画像がビューワ４０５に表示される。
【００７９】
ステップＳ５９２９ではキーボード／マウス４０３によって医用画像選択操作（ビューワ４０５上の所望の医用画像をクリックする操作）が行われたか否かを判別し、判別結果がＮＯであればそのままステップＳ５９３３に進む一方、判別結果がＹＥＳであればステップＳ５９３１で以下の処理を実行してからステップＳ５９３３に進む。ステップＳ５９３１では、クリックされた所望の医用画像に基づいて参照画像の解答例を更新する。更新された参照画像の解答例は、参照画像欄ＭＰ１´に表示される。
【００８０】
ステップＳ５９３３ではキーボード／マウス４０３によって終了操作が行われたか否かを判別し、判別結果がＮＯであればステップＳ５９２９に戻る一方、判別結果がＹＥＳであればステップＳ５９３５に進む。ステップＳ５９３５ではビューワ４０５に医用画像の非表示を命令し、その後にステップＳ５９０１に戻る。
【００８１】
図７に示すステップＳ６３のサブルーチンを図１１に示す。ステップＳ６３０１では、図２５に示す訓練生選択ウィンドウを表すビットマップデータをＤＲＡＭ４０６に描画し、当該ビットマップデータの出力をメインディスプレイ４０４に命令する。訓練生選択ウィンドウは、読影課題ガイドウィンドウよりも小さく、訓練生欄ＴＰ１´と重なることがないように読影課題ガイドウィンドウに多重される。
【００８２】
ステップＳ６３０３では、キーボード／マウス４０３によって訓練生選択操作（所望の研修生をクリックし、かつ「ＯＫ」ボタンをクリックする操作）が行われたか否かを判別する。判別結果がＮＯであればそのままステップＳ６３０７に進む一方、判別結果がＹＥＳであればステップＳ６３０５で以下の処理を実行してからステップＳ６３０７に進む。ステップＳ６３０５では、選択された訓練生を読影課題ガイドウィンドウ上の訓練生欄ＴＰ１´に追加する。
【００８３】
ステップＳ６３０７ではキーボード／マウス４０３によって終了操作が行われたか否かを判別し、判別結果がＮＯであればステップＳ６３０３に戻る一方、判別結果がＹＥＳであればステップＳ６３０９に進む。ステップＳ６３０９では訓練生選択ウィンドウの非表示をメインディスプレイ４０４に命令し、その後に上階層のルーチンに復帰する。
【００８４】
訓練用読影端末５０に設けられたＣＰＵ５０２が実行する読影レポート作成・解答表示処理に飛んで、図１４に示すステップＳ１１１では、図２７に示す読影訓練メインウィンドウをメインディスプレイ５０４に表示するべく、対応するビットマップデータをＤＲＡＭ５０６に描画し、当該ビットマップデータの出力をメインディスプレイ５０４に命令する。
【００８５】
この結果、部位欄ＳＰ０２に表示された「頭部」，「胸部」および「腹部」のいずれか１つがハイライト処理を施され、ハイライトされた部位に属する１または２以上の課題カテゴリが課題カテゴリ欄ＣＰ０２に表示される。なお、この時点では、読影課題欄ＡＰ０２は空欄とされる。
【００８６】
ステップＳ１１３では、通信Ｉ／Ｆ４０１および院内ＬＡＮ８０を通して訓練用サーバＰＣ６０にアクセスし、訓練用読影端末５０を操作する訓練生にマッチする１または２以上の訓練用読影レポートを読影課題データベース６０１から検出する。検出する訓練用読影レポートのステータスは、“未入力”であるか“確定”であるかを問わない。検出された１または２以上の訓練用読影レポートは、院内ＬＡＮ８０および通信Ｉ／Ｆ４０１を通してＤＲＡＭ５０６に取り込まれる。
【００８７】
ステップＳ１１５では、こうして取得した訓練用読影レポートの見出しを表すビットマップデータをＤＲＡＭ５０６に描画し、当該ビットマップデータの出力をメインディスプレイ５０４に命令する。この結果、訓練用読影レポートの見出しが、読影課題欄ＡＰ０２に表示される（図２７参照）。
【００８８】
ステップＳ１１７ではキーボード／マウス５０３によって見出しクリック操作（読影課題欄ＡＰ０２の所望の見出しをクリックする操作）が行われたか否かを判別し、ステップＳ１１９ではキーボード／マウス４０３によって他の操作が行われたか否かを判別する。ステップＳ１１７の判別結果およびステップＳ１１９の判別結果のいずれもがＮＯであればステップＳ１１７に戻り、ステップＳ１１９の判別結果がＹＥＳであれば他の処理に進み、ステップＳ１１７の判別結果がＹＥＳであればステップＳ１２１に進む。
【００８９】
ステップＳ１２１では、読影レポートウィンドウのビットマップデータをＤＲＡＭ５０６に描画し、当該ビットマップデータの出力をメインディスプレイ５０４に命令する。メインディスプレイ５０４上の読影レポートウィンドウには、クリックされた見出しに対応する訓練用読影レポートが現れる。図２６に示す訓練用読影レポートについては、読影レポートウィンドウは、図２８に示す要領で表示される。
【００９０】
図２８によれば、訓練用読影レポートに記載された読影指示が読影指示欄ＩＰ２´に表示され、参照画像欄ＭＰ２´，所見欄ＲＰ２´および診断欄ＤＰ２´は空欄とされる。
【００９１】
ステップＳ１２３では表示された訓練用読影レポートのステータスが“未入力”および“確定”のいずれであるかを判別し、ステータスが“未入力”であればステップＳ１２７に進む一方。ステータスが“確定”であればステップＳ１２５に進む。
【００９２】
ステップＳ１２７では、通信Ｉ／Ｆ４０１および院内ＬＡＮ８０を通して訓練用ＰＡＣＳ７０にアクセスし、訓練用読影レポート（読影課題）に関連する複数の医用画像を検出する。検出された医用画像は、院内ＬＡＮ８０および通信Ｉ／Ｆ４０１を通してＤＲＡＭ４０６に取り込まれる。ステップＳ１２９では、こうして取得した複数の医用画像の表示をビューワ５０５に命令する。ビューワ５０５には、取得された医用画像が表示される。
【００９３】
ステップＳ１３１では図示しないタイマのリセット＆スタートを実行し、ステップＳ１３３ではキーボード／マウス５０３によって医用画像選択操作（ビューワ５０５に表示された複数の医用画像のいずれか１つをクリックする操作）が行われたか否かを判別する。
【００９４】
判別結果がＮＯであればそのままステップＳ１３７に進み、判別結果がＹＥＳであればステップＳ１３５で以下の処理を実行してからステップＳ１３７に進む。ステップＳ１３５では、選択された医用画像に基づいて参照画像を作成し、作成された参照画像によって訓練用読影レポート（読影課題）上の参照画像欄ＭＰ２´に添付・表示する。
【００９５】
ステップＳ１３７では、キーボード／マウス４０３によって所見／診断入力操作が行われたか否かを判別し、判別結果がＮＯであればそのままステップＳ１４１に進む一方、判別結果がＹＥＳであればステップＳ１３９で以下の処理を実行してからステップＳ１４１に進む。つまり、ステップＳ１３９では、入力された所見を所見欄ＲＰ２´に表示し、入力された診断を診断欄ＤＰ２´に表示する。
【００９６】
ステップＳ１４１ではキーボード／マウス４０３によって確定操作（読影レポートウィンドウ上の「確定」ボタンをクリックする操作）が行われたか否かを判別し、ステップＳ１４３ではキーボード／マウス４０３によって保留操作（読影レポートウィンドウ上の「保留」ボタンをクリックする操作）または閉じる操作（読影レポートウィンドウ上の「閉じる」ボタンをクリックする操作）が行われたか否かを判別し、ステップＳ１４５ではキーボード／マウス４０３によって他の操作が行われたか否かを判別する。
【００９７】
ステップＳ１４１の判別結果，ステップＳ１４３の判別結果およびステップＳ１４５の判別結果のいずれもがＮＯであればステップＳ１３３に戻り、ステップＳ１４５の判別結果がＹＥＳであれば他の処理に進み、ステップＳ１４３の判別結果がＹＥＳであればステップＳ１５１に進み、ステップＳ１４１の判別結果がＹＥＳであればステップＳ１４７に進む。
【００９８】
ステップＳ１４７では、訓練用読影レポートのステータスを“未入力”から“確定”に更新する。ステップＳ１４９では、当該訓練用読影レポートを通信Ｉ／Ｆ５０１および院内ＬＡＮ８０を通して訓練用サーバＰＣ６０に転送する。転送された訓練用読影レポートは、訓練用読影端末５０を操作する訓練生に対応して読影課題データベース６０１に保存される。
【００９９】
ステップＳ１５１ではメインディスプレイ５０４に読影レポートウィンドウの非表示を命令し、ステップＳ１５３ではビューワ５０５に医用画像の非表示を命令し、その後に処理を終了する。
【０１００】
ステップＳ１４５では、タイマをストップしてタイマ値を取得し、取得したタイマ値を訓練生が読影に費やした時間つまり読影時間として訓練用読影レポート（読影課題）に割り当てる。或るタイマ値が訓練用読影レポート（読影課題）に既に割り当てられている場合、ここで取得したタイマ値は割り当て済みのタイマ値に積算される。
【０１０１】
読影訓練支援装置４０に設けられたＣＰＵ４０２が実行する読影課題作成・採点処理に戻って、図１２に示すステップＳ８７では訓練生選択操作によって選択された訓練用読影レポートのステータスが“確定”および“未入力”のいずれであるかを判別する。ステータスが“確定”であればステップＳ８９に進み、ステータスが“未入力”であればステップＳ５１に戻る。
【０１０２】
ステップＳ８９では、読影課題採点ウィンドウをメインディスプレイ４０４に表示するべく、対応するビットマップデータをＤＲＡＭ４０６に描画し、当該ビットマップデータの出力をメインディスプレイ４０４に命令する。図３１に示す“学生花子”が訓練生選択操作によって選択された場合、読影課題採点ウィンドウは図３２および図３３に示す要領で表示される。
【０１０３】
図３２によれば、読影課題管理シート上の情報（患者情報，検査情報，所見の解答例，診断の解答例，参照画像，採点ポイントおよび読影指示）に加えて、読影者情報（訓練生選択操作によって選択された訓練生の名前，報告日時および読影時間）と、訓練用読影レポートに記載された所見および診断と、訓練用読影レポートに添付された参照画像とが、読影課題採点ウィンドウ上に表示される。なお、読影者情報の一部である読影時間は、訓練用読影レポートに割り当てられたタイマ値を示す。
【０１０４】
ステップＳ９１では講評／スコア入力操作（評価入力操作）が行われたか否かを判別し、判別結果がＮＯであればそのままステップＳ９５に進む一方、判別結果がＹＥＳであればステップＳ９３で講評／スコア（評価）を読影課題採点ウィンドウに入力・表示してからステップＳ９５に進む。講評およびスコアは、採点ポイント１の欄の右側に文章および点数で表示されるとともに、採点ポイント２をなす各項目の右側にランクおよび点数で表示される。
【０１０５】
ステップＳ９５では、採点ポイント１の欄に表示された点数と採点ポイント２の欄に表示された点数との合計を総合スコアとして算出し、算出された総合スコアを採点ポイント２の欄の下側に表示する。
【０１０６】
ステップＳ９７ではキーボード／マウス４０３によって保存操作が行われたか否かを判別し、ステップＳ９９ではキーボード／マウス４０３によって終了操作が行われたか否かを判別する。ステップＳ９７の判別結果おおびステップＳ９９の判別結果のいずれもがＮＯであればステップＳ９１に戻り、ステップＳ９９の判別結果がＹＥＳであればステップＳ１０５に進み、ステップＳ９７の判別結果がＹＥＳであればステップＳ１０１に進む。
【０１０７】
ステップＳ１０１では読影課題採点ウィンドウ上の記載が反映された読影課題採点シートをＤＲＡＭ４０６上に作成する。図３３〜図３４に示す読影課題採点ウィンドウの記載に基づく場合、読影課題採点シートは図３５〜図３６に示す要領で作成される。ステップＳ１０３では、ステップＳ１０１で作成された読影課題採点シートを通信Ｉ／Ｆ５０１および院内ＬＡＮ８０を通して訓練用サーバＰＣ６０に転送する。転送された訓読影課題採点シートは、読影者情報が示す訓練生に対応して読影課題データベース６０１に保存される。
【０１０８】
ステップＳ１０５では、読影課題採点ウィンドウの非表示をメインディスプレイ４０４に命令し、その後に処理を終了する。
【０１０９】
訓練用読影端末５０に設けられたＣＰＵ５０２が実行する読影レポート作成・解答表示処理に飛んで、図１４に示すステップＳ１２５では、「解答表示」ボタンを表すビットマップデータをＤＲＡＭ５０６に描画し、当該ビットマップデータの出力をメインディスプレイ５０４に命令する。
【０１１０】
図３７に示す読影訓練メインウィンドウの読影課題欄ＡＰ０２において２番目の見出しがクリックされ、かつこの見出しに対応する読影レポートのステータスが“確定”であれば、読影レポートウィンドウは図３８に示す要領でメインディスプレイ５０４に表示される。「解答表示」ボタンは読影レポートウィンドウの左下に表示される。
【０１１１】
図１７を参照して、ステップＳ１５５ではキーボード／マウス５０３によって「解答表示」ボタンがクリックされたか否かを判別し、ステップＳ１５７ではキーボード／マウス５０３によって終了操作が行われたか否かを判別する。ステップＳ１５５の判別結果およびステップＳ１５７の判別結果のいずれもがＮＯであればステップＳ１５５に戻り、ステップＳ１５７の判別結果がＹＥＳであればステップＳ１５９に進み、ステップＳ１５５の判別結果がＹＥＳであればステップＳ１６１に進む。
【０１１２】
ステップＳ１５９では、メインディスプレイ５０４に読影レポートウィンドウの非表示を命令し、その後に処理を終了する。
【０１１３】
ステップＳ１６１では、通信Ｉ／Ｆ５０１および院内ＬＡＮ８０を通して訓練用サーバＰＣ６０にアクセスし、訓練用読影端末５０を操作する訓練生の読影課題採点シートを読影課題データベース６０１から検出する。検出された読影課題採点シートは、院内ＬＡＮ８０および通信Ｉ／Ｆ５０１を通してＤＲＡＭ５０６に取り込まれる。
【０１１４】
ステップＳ１６３では、こうして取得された読影課題採点シートの情報が反映された解答例ウィンドウをメインディスプレイ５０４に表示するべく、対応するビットマップデータをＤＲＡＭ５０６に描画し、当該ビットマップデータの出力をメインディスプレイ５０４に命令する。解答例ウィンドウは、図３９および図４０に示す要領で表示される。
【０１１５】
図３９によれば、読影課題ガイドに記載された所見の解答例および診断の解答例と読影課題ガイドに添付された参照画像の解答例とが解答例ウィンドウの左側に表示され、訓練用読影レポートに記載された所見および診断と訓練用読影レポートに添付された参照画像とが解答例ウィンドウの右側に表示される。また、図４０によれば、採点ポイント１および採点ポイント２が解答例ウィンドウの左側に表示され、講評，スコアおよび総合スコアが解答例ウィンドウの右側に表示される。
【０１１６】
ステップＳ１６５では、キーボード／マウス５０３によって「解答」タブまたは「講評」タブがクリックされたか否かを判別し、ステップＳ１６９では、キーボード／マウス５０３によって「閉じる」ボタンがクリックされたか否かを判別し、ステップＳ１７１ではキーボード／マウス５０３によって他の操作が行われたか否かを判別する。
【０１１７】
ステップＳ１６５の判別結果，ステップＳ１６９の判別結果およびステップＳ１７１の判別結果のいずれもがＮＯであればステップＳ１６５に戻る。ステップＳ１６５の判別結果がＹＥＳであれば、ステップＳ１６７で解答例ウィンドウの表示を切り替え、その後にステップＳ１６５に戻る。
【０１１８】
ステップＳ１７１の判別結果がＹＥＳであれば、他の処理を実行する。他の操作には、解答例ウィンドウ上の「画像表示」ボタンをクリックする操作が含まれる。他の処理には、解答例ウィンドウに添付された参照画像に関連する複数の医用画像をビューワ５０５に表示する処理が含まれる。
【０１１９】
ステップＳ１６９の判別結果がＹＥＳであれば、ステップＳ１７３で解答例ウィンドウの非表示をメインディスプレイ５０４に命令し、その後に処理を終了する。
【０１２０】
以上の説明から分かるように、読影訓練支援装置４０に設けられたＣＰＵ４０２は、読影医の所見および診断が各々に記載された複数の読影レポートのいずれか１つを選択する選択操作を受け付けたとき、選択操作によって選択された読影レポートを引用して指導医用の読影課題ガイドを作成する(S23)。ＣＰＵ４０２はまた、作成された読影課題ガイドを編集操作に従って編集し(S59)、編集された読影課題ガイドに基づいて訓練用読影レポート（読影課題）を作成する(S85)。ＣＰＵ４０２はさらに、作成された訓練用読影レポート（読影課題）が提供される１または２以上の訓練生を訓練生追加操作または訓練生削除操作に従って指定する(S61~S71)。
【０１２１】
読影課題ガイドは、読影医の所見および診断が記載された読影レポートを引用して作成され、かつ編集操作に従って編集される。このため、読影課題ガイドの準備に要する指導医の手間を軽減することができる。また、読影課題ガイドに基づいて作成された読影課題の提供先は、訓練生追加操作または訓練生削除操作に従って個別に指定される。このため、読影課題ガイドが編集可能であることと相俟って、適応的な読影訓練を実施することができる。こうして、高い成果を目指した読影訓練が簡便に実現される。
【０１２２】
なお、この実施例では、読影訓練支援装置４０に設けられたＣＰＵ４０２が図４〜図５に示す読影課題候補マーク処理および図６〜図１３に示す読影課題作成・採点処理の両方を実行する。しかし、図４〜図５に示す読影課題候補マーク処理については、診療用読影端末１０に設けられたＣＰＵが実行するようにしてもよい。この場合、診療用読影端末１０および読影訓練支援装置４０のセットがこの発明の読影訓練支援装置となる。
［実施例２］
【０１２３】
他の実施例の診断支援システムは、読影訓練支援装置４０のＣＰＵ４０２が図４〜図５に示すフロー図に代えて図４１〜図４６に示す読影課題ガイド自動作成条件設定処理および図４７〜図４８に示す読影課題ガイド自動作成処理を実行する点，図４９に示す読影レポート情報テーブルＴＢＬ１が読影レポートデータベース２０１に追加され、図５０に示す読影課題ガイド自動作成条件テーブルＴＢＬ２が読影課題データベース６０１に追加される点，図５１に示す条件一覧画面，図５２〜図５４に示す個別設定画面，図５５に示す確認画面が読影訓練支援装置４０のメインディスプレイ４０４に表示される点，ならびに図５６（Ａ）に示す検査情報，図５６（Ｂ）に示す患者情報，図５６（Ｃ）に示す所見／診断情報がＨＤＤ４０７に保存される点を除き、上述した実施例の診断支援システムと同じである。したがって、同様の構成に関する重複した説明は省略する。
【０１２４】
ここで、図４７〜図４８に示す読影課題ガイド自動作成処理は、他の処理と並列してバックグラウンドで実行される。
【０１２５】
また、図４９に示す読影レポート情報テーブルＴＢＬ１は、読影レポートデータベース２０１に保存された全件の読影レポートに記載された“患者ＩＤ”，“モダリティ”，“検査部位”，“診断名”，“診断医”，“読影時間”，“既往歴”を読影レポート毎に管理するためのテーブルである。つまり、“患者ＩＤ”，“モダリティ”，“検査部位”，“診断名”，“診断医”，“読影時間”，“既往歴”の各項目名は、読影レポート情報として読影レポート情報テーブルＴＢＬ１に転記される。
【０１２６】
さらに、図５０に示す読影課題ガイド自動作成条件テーブルＴＢＬ２は、図５２，図５３または図５４に示す個別設定画面上で設定された文字列を読影課題ガイド自動作成条件毎に管理するためのテーブルであり、“名称”，“条件１”，“条件２”，“条件３”，“条件４”，“条件５”，“条件６”として記載された文字列に基づいて１つの読影課題ガイド自動作成条件が定義される。なお、読影課題ガイド自動作成条件は、引用すべき読影レポートを如何にして選択するかを示す条件であり、“レポート選択条件”と呼んでもよい。
【０１２７】
図４１を参照して、ステップＳ１６１では、読影課題ガイド自動作成条件を読影課題ガイド自動作成条件テーブルＴＢＬ２から全件取得する。ステップＳ１６３では、取得した読影課題ガイド自動作成条件を表す条件一覧画面のビットマップデータをＤＲＡＭ４０６に描画し、当該ビットマップデータの出力をメインディスプレイ４０４に命令する。条件一覧画面は、図５１に示す要領でメインディスプレイ４０４に表示される。
【０１２８】
図５１によれば、“名称”，“条件１”，“条件２”，…が横軸に沿って割り当てられた複数の行からなるページＰＧ１が、条件一覧画面の中央に表示される。また、「新規」ボタン，「修正」ボタンおよび「削除」ボタンがページＰＧ１の右下周辺に並列表示され、「ＯＫ」ボタンおよび「キャンセル」ボタンが条件一覧画面の右下に並列表示される。
【０１２９】
図４１に戻って、ステップＳ１６５では、キーボード／マウス４０３によって「新規」ボタンがクリックされたか否かを判別し、判別結果がＮＯであればそのままステップＳ１６９に進む一方、判別結果がＹＥＳであればステップＳ１６７で読影課題ガイド自動作成条件個別設定処理（新規）を実行してからステップＳ１６９に進む。
【０１３０】
ステップＳ１６９では、キーボード／マウス４０３によって行選択操作（＝ページＰＧ１上の所望の行をクリックする操作）が行われたか否かを判別し、判別結果がＮＯであればステップＳ１８７に進む一方、判別結果がＹＥＳであればステップＳ１７１に進む。
【０１３１】
ステップＳ１７１では、キーボード／マウス４０３によって「修正」ボタンがクリックされたか否かを判別し、判別結果がＮＯであればそのままステップＳ１７５に進む一方、判別結果がＹＥＳであればステップＳ１７３で読影課題ガイド自動作成条件個別設定処理（修正）を実行してからステップＳ１７５に進む。
【０１３２】
ステップＳ１７５では「削除」ボタンがクリックされたか否かを判別し、判別結果がＮＯであればステップＳ１８７に進む一方、判別結果がＹＥＳであればステップＳ１７７〜Ｓ１８５の処理を経てステップＳ１８７に進む。
【０１３３】
ステップＳ１７７では、確認ダイアログのビットマップデータをＤＲＡＭ４０６に描画し、当該ビットマップデータの出力をメインディスプレイ４０４に命令する。確認ダイアログは図５５に示すように構成され、条件一覧画面に多重表示される。
【０１３４】
図５５によれば、確認ダイアログ画面は、“頭部ＭＲを削除します。よろしいですか？”の文字列と「ＯＫ」ボタンおよび「キャンセル」ボタンとによって構成される。なお、文字列の冒頭の“頭部ＭＲ”は、行選択操作によって選択された行に“名称”として記載された文字列と一致する。つまり、行選択操作によって選択された行に“名称”として記載された文字列が、確認ダイアログ画面の文字列の冒頭に割り当てられる。
【０１３５】
ステップＳ１７９ではキーボード／マウス４０３によって「ＯＫ」ボタンがクリックされたか否かを判別し、ステップＳ１８１ではキーボード／マウス４０３によって「キャンセル」ボタンがクリックされたか否かを判別する。ステップＳ１７９の判別結果およびステップＳ１８１の判別結果のいずれもがＮＯであれば、ステップＳ１７９に戻る。
【０１３６】
ステップＳ１８１の判別結果がＹＥＳであればステップＳ１８５に進み、確認ダイアログを非表示とする。これに対して、ステップＳ１７９の判別結果がＹＥＳであればステップＳ１８３に進み、選択中の行の読影課題ガイド自動作成条件を条件一覧画面から削除する。削除が完了するとステップＳ１８５で確認ダイアログを非表示とする。
【０１３７】
ステップＳ１８７では条件一覧画面上の「キャンセル」ボタンがキーボード／マウス４０３によってクリックされたか否かを判別し、ステップＳ１８９では条件一覧画面上の「ＯＫ」ボタンがキーボード／マウス４０３によってクリックされたか否かを判別する。
【０１３８】
ステップＳ１８７の判別結果およびステップＳ１８９の判別結果のいずれもがＮＯであれば、ステップＳ１６５に戻る。ステップＳ１８７の判別結果がＹＥＳであれば、そのまま処理を終了する。ステップＳ１８９の判別結果がＹＥＳであれば、ステップＳ１９１に進み、条件一覧画面に表示されている読影課題ガイド自動作成条件の全件を読影課題ガイド自動作成条件テーブルＴＢＬ２に上書き登録する。上書き登録が完了すると、処理を終了する。
【０１３９】
図４１に示すステップＳ１６７の読影課題ガイド自動作成条件個別設定処理（新規）は、図４４に示すサブルーチンに従って実行される。
【０１４０】
まずステップＳ２０１で、新規の個別設定画面を表すビットマップデータをＤＲＡＭ４０６に描画し、当該ビットマップデータの出力をメインディスプレイ４０４に命令する。この結果、図５２に示す個別設定画面が条件一覧画面に多重表示される。
【０１４１】
図５２によれば、任意の文字列を名称として入力する窓が画面左上に配される。また、条件１〜６が縦方向に並んで設けられ、各条件に割り当てられた３つの入力窓が横方向に並んで配される。つまり、各条件に割り当てられた３つの入力窓が１行をなす。
【０１４２】
左側の入力窓にはプルダウンメニューから選択された文字列が表示され、中央の入力窓には任意の文字列が表示され、左側の入力窓にはプルダウンメニューから選択された文字列が表示される。
【０１４３】
ここで、左側の入力窓に割り当てられたプルダウンメニューには、図５６（Ａ）に示す１８個の文字列，図５６（Ｂ）に示す２０個の文字列および図５６（Ｃ）に示す１４個の文字列が列挙される。図５６（Ａ）に示す各文字列は検査情報に相当し、図５６（Ｂ）に示す各文字列は患者情報に相当し、図５６（Ｃ）に示す各文字列は所見／診断情報に相当する。このうち、“（統計）”の文字列が付加された文字列は、特に“統計分析項目”と呼ぶ。また、右側の入力窓に割り当てられたプルダウンメニューには、“と一致”，“を含む”，“を含まない”，“以上”，“以下”，“未満”の６つの文字列が列挙される。
【０１４４】
ただし、ステップＳ２０１の処理が実行された時点では、いずれの入力窓もブランクとされる。
【０１４５】
ステップＳ２０３では、キーボード／マウス４０３によって文字列設定操作（＝プルダウンメニューに列挙された文字列のいずれか１つを選択する操作或いは任意の文字列を入力する操作）が行われたか否かを判別する。判別結果がＮＯであればステップＳ２１１に進む一方、判別結果がＹＥＳであればステップＳ２０５に進む。
【０１４６】
ステップＳ２０５では、選択／入力された文字列つまり設定文字列を表すビットマップデータを、設定先の入力窓に対応してＤＲＡＭ４０６に描画する。この結果、設定文字列が個別設定画面に現れる。
【０１４７】
ステップＳ２０７では、設定文字列が統計分析項目であるか否かを判別し、判別結果がＮＯであればステップＳ２１１に進む一方、判別結果がＹＥＳであればステップＳ２０９で以下の処理を実行してからステップＳ２１１に進む。
【０１４８】
統計分析項目の設定先は、条件１〜６のいずれか１つに割り当てられた左側の入力窓である。したがって、ステップＳ２０９の処理は、左側の入力窓に統計分析項目が設定されたときに実行される。ステップＳ２０９では、統計分析項目が表示された入力窓と同じ行に配された他の入力窓の表示形態を図５３に示す要領で更新する。
【０１４９】
図５３によれば、条件１に割り当てられた左側の入力窓に、“撮影時間（統計）”の文字列が表示される。この場合、中央の入力窓はプルダウンメニューから選択された文字列を表示するための窓に更新され、右側の入力窓は任意の文字列を表示するための窓に更新される。
【０１５０】
ここで、中央の入力窓の割り当てられたプルダウンメニューには、“上位”および“下位”の２つの文字列が列挙される。また、右側の入力窓には“％”の文字が付され、０〜１００のいずれかの数値の入力が促される。ただし、ステップＳ２０９の処理が実行された時点では、中央の入力窓および右側の入力窓はいずれもブランクとされる。
【０１５１】
ステップＳ２１１ではキーボード／マウス４０３によって「ＯＫ」ボタンが操作されたか否かを判別し、ステップＳ２１３ではキーボード／マウス４０３によって「キャンセル」ボタンが操作されたか否かを判別する。ステップＳ２１１の判別結果およびステップＳ２１３の判別結果のいずれもがＮＯであれば、ステップＳ２０３に戻る。
【０１５２】
ステップＳ２１３の判別結果がＹＥＳであればそのまま上階層のルーチンに復帰する一方、ステップＳ２１１の判別結果がＹＥＳであればステップＳ２１５で以下の処理を実行してから上階層のルーチンに復帰する。
【０１５３】
つまり、ステップＳ２１５では、上述の要領で表示された１または２以上の設定文字列に基づいて新規の読影課題ガイド自動作成条件を作成し、作成した読影課題ガイド自動作成条件を表すビットマップデータを、条件一覧画面を表すビットマップデータ上に描画する。この結果、新規の読影課題ガイド自動作成条件が、条件一覧画面に反映される。
【０１５４】
なお、ステップＳ２０９（または後述するステップＳ２３１）の処理が実行された場合、読影課題ガイド自動作成条件は、統計分析項目とこれに割り当てられた数値範囲とによって定義される。以下では、このような条件を特に“統計分析条件”と呼ぶ。
【０１５５】
図４２に示すステップＳ１７３の読影課題ガイド自動作成条件個別設定処理（修正）は、図４５に示すサブルーチンに従って実行される。
【０１５６】
まずステップＳ２２１で、個別設定画面のビットマップデータをＤＲＡＭ４０６に描画し、当該ビットマップデータの出力をメインディスプレイ４０４に命令する。ステップＳ２２３では、行選択操作によって選択された行の読影課題ガイド自動作成条件を表すビットマップデータを個別設定画面に対応してＤＲＡＭ４０６に描画する。したがって、図５１に示す条件一覧画面の１行目が選択された場合、個別設定画面は図５４に示す要領で表示される。
【０１５７】
ステップＳ２２５ではキーボード／マウス４０３によって文字列設定操作が行われたか否かを判別し、判別結果がＮＯであればステップＳ２３３に進む一方、判別結果がＹＥＳであればステップＳ２２７に進む。
【０１５８】
ステップＳ２２７では、設定文字列を表すビットマップデータを、設定先の入力窓に対応してＤＲＡＭ４０６に描画する。この結果、設定文字列が個別設定画面に現れる。ステップＳ２２９では、設定文字列が統計分析項目であるか否かを判別し、判別結果がＮＯであればステップＳ２３３に進む一方、判別結果がＹＥＳであればステップＳ２３１に進む。ステップＳ２３１では、設定文字列が表示された入力窓と同じ行に配された他の入力窓の表示形態を更新する。更新が完了すると、ステップＳ２３３に進む。
【０１５９】
ステップＳ２３３ではキーボード／マウス４０３によって「ＯＫ」ボタンが操作されたか否かを判別し、ステップＳ２３５ではキーボード／マウス４０３によって「キャンセル」ボタンが操作されたか否かを判別する。ステップＳ２３３の判別結果およびステップＳ２３５の判別結果のいずれもがＮＯであれば、ステップＳ２２５に戻る。
【０１６０】
ステップＳ２３５の判別結果がＹＥＳであればそのまま上階層のルーチンに復帰する一方、ステップＳ２３３の判別結果がＹＥＳであればステップＳ２３７で以下の処理を実行してから上階層のルーチンに復帰する。
【０１６１】
つまり、ステップＳ２３７では、上述の要領で表示された１または２以上の設定文字列に基づいて修正後の読影課題ガイド自動作成条件を作成し、作成した読影課題ガイド自動作成条件を表すビットマップデータを、条件一覧画面のうち行選択操作によって選択された行に描画する。この結果、修正後の読影課題ガイド自動作成条件が、条件一覧画面に反映される。
【０１６２】
図４７を参照して、ステップＳ２４１では、読影レポート情報テーブルＴＢＬ１（図４９参照）から全件の読影レポート情報を取得する。読影レポート情報は、読影レポートに記載された“患者ＩＤ”，“モダリティ”，“検査部位”，“診断名”，“診断医”，“読影時間”，“既往歴”の総称であり、読影レポート情報テーブルＴＢＬ１に設けられた複数のカラムの各々に転記される。
【０１６３】
ステップＳ２４３では、読影課題ガイド自動作成条件テーブルＴＢＬ２から全件の読影課題ガイド自動作成条件を取得する。ステップＳ２４５では変数Ｋを“１”に設定し、ステップＳ２４７では変数Ｌを“１”に設定する。ステップＳ２４９ではＬ番目の読影課題ガイド自動作成条件が統計分析条件に相当するか否かを判別し、判別結果がＮＯであればそのままステップＳ２５５に進む一方、判別結果がＹＥＳであればステップＳ２５１〜Ｓ２５３の処理を経てステップＳ２５５に進む。
【０１６４】
ステップＳ２５１では、Ｌ番目の読影課題ガイド自動作成条件に合致する項目名を読影レポート情報テーブルＴＢＬ１から検出する。ステップＳ２５３では、検出した項目名に基づいてＬ番目の読影課題ガイド自動作成条件を修正する。
【０１６５】
たとえば、図５０に示す５番目の読影課題ガイド自動作成条件は、“上位５０％の診断名”である。一方、図４９に示す読影レポート情報テーブルＴＢＬ１の診断名に注目すると、“胃がん”が３件存在し、“肺気腫”が２件存在し、“頭蓋骨骨折”が２件存在し、“異常なし”が１件存在し、“脳腫瘍”が１件存在し、“動脈硬化”が１件存在する。
【０１６６】
したがって、“上位５０％”という条件に合致する診断名は、“胃がん”，“肺気腫”および“頭蓋骨骨折”の３つとなる。この結果、修正後の読影課題ガイド自動作成条件では、“名称”は“診断名に関連する症例”となり、“条件１”は“診断名に胃がん，肺気腫および頭蓋骨骨折のいずれか１つを含む”となる。
【０１６７】
また、図５０に示す６番目の読影課題ガイド自動作成条件は、“上位２０％の読影時間”である。一方、図４９に示す読影レポート情報テーブルＴＢＬ１の読影時間は、“２０分”，“１３分”，“１２分”，“１２分”，“１０分”，“１０分”，“６分”，“６分”，“５分”，“５分”の順で長くなる。
【０１６８】
したがって、“上位２０％”という条件に合致する読影時間は、“１３分以上”となる。この結果、修正後の読影課題ガイド自動作成条件では、“名称”は“読影時間に関連する症例”となり、“条件１”は“１３分以上”となる。
【０１６９】
図４７に戻って、ステップＳ２５５では、Ｋ番目の読影レポート情報をＬ番目の読影課題ガイド自動作成条件と照合する。ステップＳ２５７では照合結果が“合致”を示すか否かを判別し、判別結果がＮＯであればそのままステップＳ２６５に進む一方、判別結果がＹＥＳであればステップＳ２５９〜Ｓ２６３の処理を経てステップＳ２６５に進む。
【０１７０】
ステップＳ２５９では、Ｋ番目の読影レポートの情報が転記ないし引用された読影課題ガイドをＤＲＡＭ４０６上で作成する。ステップＳ２６１では、作成した読影課題ガイドを通信Ｉ／Ｆ４０１および院内ＬＡＮ８０を通して訓練用サーバＰＣ６０に転送する。転送された読影課題ガイドは、読影課題データベース６０１に保存される。ステップＳ２６３では、Ｋ番目の読影レポートに関連付けられた複数の医用画像を診療用ＰＡＣＳ３０から検出し、検出した複数の医用画像を訓練用ＰＡＣＳ７０に複製する。
【０１７１】
ステップＳ２６５では変数Ｌが最大値Ｌｍａｘ（Ｌｍａｘ：読影レポート情報テーブルＴＢＬ１に登録された読影レポート情報の総件数）に達したか否かを判別し、ステップＳ２６７では変数Ｋが最大値Ｋｍａｘ（Ｋｍａｘ：読影課題ガイド自動作成条件テーブルＴＢＬ２に登録された読影課題ガイド自動作成条件の総件数）に達したか否かを判別する。ステップＳ２６５の判別結果がＮＯであれば、ステップＳ２６９で変数Ｌをインクリメントし、その後にステップＳ２４９に戻る。また、ステップＳ２６７の判別結果がＮＯであれば、ステップＳ２７１で変数Ｋをインクリメントし、その後にステップＳ２４７に戻る。ステップＳ２６５の判別結果およびステップＳ２６７の判別結果がいずれもＹＥＳであれば、処理を終了する。
【０１７２】
この実施例によれば、読影課題ガイドの準備に要する指導医の手間を軽減することができる。
【符号の説明】
【０１７３】
１０  …診療用読影端末
２０  …診療用サーバＰＣ
３０  …診療用ＰＡＣＳ
４０  …読影訓練支援装置
５０  …訓練用読影端末
４０２，５０２  …ＣＰＵ
４０４，５０４  …メインディスプレイ
４０５，５０５  …ビューワ
４０６，５０６  …ＤＲＡＭ
４０７，５０７  …ＨＤＤ
６０  …訓練用サーバＰＣ
７０  …訓練用ＰＡＣＳ
８０  …院内ＬＡＮ
【図１】
0006473124.tif 000002
【図２】
0006473124.tif 000003
【図３】
0006473124.tif 000004
【図４】
0006473124.tif 000005
【図５】
0006473124.tif 000006
【図６】
0006473124.tif 000007
【図７】
0006473124.tif 000008
【図８】
0006473124.tif 000009
【図９】
0006473124.tif 000010
【図１０】
0006473124.tif 000011
【図１１】
0006473124.tif 000012
【図１２】
0006473124.tif 000013
【図１３】
0006473124.tif 000014
【図１４】
0006473124.tif 000015
【図１５】
0006473124.tif 000016
【図１６】
0006473124.tif 000017
【図１７】
0006473124.tif 000018
【図１８】
0006473124.tif 000019
【図１９】
0006473124.tif 000020
【図２０】
0006473124.tif 000021
【図２１】
0006473124.tif 000022
【図２２】
0006473124.tif 000023
【図２３】
0006473124.tif 000024
【図２４】
0006473124.tif 000025
【図２５】
0006473124.tif 000026
【図２６】
0006473124.tif 000027
【図２７】
0006473124.tif 000028
【図２８】
0006473124.tif 000029
【図２９】
0006473124.tif 000030
【図３０】
0006473124.tif 000031
【図３１】
0006473124.tif 000032
【図３２】
0006473124.tif 000033
【図３３】
0006473124.tif 000034
【図３４】
0006473124.tif 000035
【図３５】
0006473124.tif 000036
【図３６】
0006473124.tif 000037
【図３７】
0006473124.tif 000038
【図３８】
0006473124.tif 000039
【図３９】
0006473124.tif 000040
【図４０】
0006473124.tif 000041
【図４１】
0006473124.tif 000042
【図４２】
0006473124.tif 000043
【図４３】
0006473124.tif 000044
【図４４】
0006473124.tif 000045
【図４５】
0006473124.tif 000046
【図４６】
0006473124.tif 000047
【図４７】
0006473124.tif 000048
【図４８】
0006473124.tif 000049
【図４９】
0006473124.tif 000050
【図５０】
0006473124.tif 000051
【図５１】
0006473124.tif 000052
【図５２】
0006473124.tif 000053
【図５３】
0006473124.tif 000054
【図５４】
0006473124.tif 000055
【図５５】
0006473124.tif 000056
【図５６】
0006473124.tif 000057